(57)【要約】【課題】画像の送信先の指定を容易に行うとともに、放射線画像撮影装置の省電力化を図る。【解決手段】放射線画像撮影システム１００において、前室Ｒｂ１に設置されているクライアント端末４０から医用画像管理装置３０に、撮影室Ｒａ１内のＦＰＤパネル１からの医用画像の取り込みを指示する画像取り込み指示が送信されると、医用画像管理装置３０は、画像取り込み指示の受信を契機として、撮影室Ｒａ１内のＦＰＤパネル１に駆動状態への移行を指示する駆動指示を送信するとともに、ＦＰＤパネル１により生成される医用画像の送信先として、前室Ｒｂ１のクライアント端末４０を設定する。医用画像管理装置３０は、ＦＰＤパネル１から受信した医用画像を送信先に設定されたクライアント端末４０に送信する。画像取り込み指示を送信したクライアント端末４０は、医用画像管理装置３０から送信された医用画像を表示する。【選択図】図１
2014117398.tif 000002
【特許請求の範囲】
【請求項１】
被写体を透過した放射線に基づく医用画像を生成する放射線画像撮影装置と、当該放射線画像撮影装置により生成された医用画像を管理する医用画像管理装置と、がデータ通信可能に接続され、前記医用画像管理装置と、一又は複数のクライアント端末と、がデータ通信可能に接続された放射線画像撮影システムであって、
前記一又は複数のクライアント端末は、
前記放射線画像撮影装置からの医用画像の取り込みを指示するための操作手段と、
前記操作手段から前記放射線画像撮影装置からの医用画像の取り込みが指示された場合に、前記放射線画像撮影装置からの医用画像の取り込みを指示する画像取り込み指示を前記医用画像管理装置に送信する第１制御手段と、
を備え、
前記医用画像管理装置は、
前記画像取り込み指示の受信を契機として、前記放射線画像撮影装置に駆動状態への移行を指示する駆動指示を送信するとともに、前記放射線画像撮影装置により生成される医用画像の送信先として、前記画像取り込み指示を送信したクライアント端末を設定し、前記放射線画像撮影装置から送信された医用画像を受信した場合に、当該受信された医用画像を前記送信先に設定されたクライアント端末に送信する第２制御手段を備え、
前記画像取り込み指示を送信したクライアント端末の第１制御手段は、前記医用画像管理装置から送信された医用画像を表示手段に表示させる放射線画像撮影システム。
【請求項２】
前記放射線画像撮影装置を複数備え、
前記一又は複数のクライアント端末は、
前記複数の放射線画像撮影装置の中から画像取り込み対象となる放射線画像撮影装置を選択するための選択手段を備え、
前記第１制御手段は、前記選択された放射線画像撮影装置を示す情報を前記医用画像管理装置に送信し、
前記第２制御手段は、前記選択された放射線画像撮影装置を示す情報に基づいて、前記複数の放射線画像撮影装置のうち前記選択された放射線画像撮影装置以外の放射線画像撮影装置に非駆動状態への移行を指示する非駆動指示を送信する請求項１に記載の放射線画像撮影システム。
【請求項３】
前記第２制御手段は、前記一又は複数のクライアント端末において、前記表示手段に表示される画面が、医用画像の取り込みを指示する指示入力画面に遷移したタイミングで、画像取り込み対象となる放射線画像撮影装置に非駆動状態から駆動状態へ移行するよりも駆動状態へ移行する時間が短い駆動準備状態への移行を指示する駆動準備指示を送信する請求項１又は２に記載の放射線画像撮影システム。
【請求項４】
前記放射線画像撮影装置は、複数の放射線検出素子により放射線発生装置から照射される放射線の照射タイミングを検知し、当該放射線の照射に応じて医用画像を生成するものである請求項１から３のいずれか一項に記載の放射線画像撮影システム。
【発明の詳細な説明】
【技術分野】
【０００１】
本発明は、放射線画像撮影システムに関する。
【背景技術】
【０００２】
従来、医療の分野では、放射線により患者を撮影して得られた放射線画像が病気や怪我の診断に用いられている。近年、様々な放射線画像撮影装置により生成された医用画像を取り込み、取り込んだ医用画像を画像ＤＢ（DataBase）に保存して管理する医用画像管理装置が用いられている。
【０００３】
このような医用画像管理装置（サーバー装置）とクライアント端末とからなるシステムでは、クライアント端末にて、受付画面（患者リスト画面）において撮影対象患者を選択し、撮影対象患者の画像表示画面へと遷移する。画像表示画面上の画像取り込みボタンを押下すると、画像取り込みボタンに対応する放射線画像撮影装置と医用画像管理装置とがオンライン状態となり、医用画像管理装置は放射線画像撮影装置からの画像取り込み待機状態となる。放射線画像撮影装置において撮影対象患者の撮影が行われると、医用画像管理装置は、放射線画像撮影装置により生成された医用画像を取り込み、取り込んだ医用画像と撮影対象患者とを対応付けて保存する。そして、クライアント端末では、医用画像管理装置に取り込まれた医用画像が表示され、医師が診断を行う。
【０００４】
また、輝尽性蛍光体シートから画像を読み取る複数の放射線画像読取装置と、複数のコントローラーとがネットワーク上に配置された放射線画像撮影システムにおいて、任意のコントローラーで登録した輝尽性蛍光体シートを、どの放射線画像読取装置で読み取らせても、読み取られた画像が、その輝尽性蛍光体シートを登録したコントローラーに自動的に送信されるものが提案されている（特許文献１参照）。読み取りに使用する放射線画像読取装置を自由に選択することができるため、システムの一部が故障した場合であっても、他の構成要素で対応可能な、障害に強いシステムが実現される。
【０００５】
また、ＦＰＤ（Flat Panel Detector）パネルと、読取制御装置と、複数の画像表示端末とにより構成されるシステムにおいて、ＦＰＤパネルにより生成された画像の表示先となる画像表示端末を選択可能なものが用いられている。これにより、画像表示端末がそれぞれ設置された撮影室が複数ある場合に、１枚又は２枚以上のＦＰＤパネルを、どの撮影室においても使用することができ、システムの一部が故障した場合であっても、システムダウンを防ぐことができる。
【０００６】
また、ＦＰＤパネルは、外部機器との間で無線によりデータ通信を行う放射線画像撮影装置であり、バッテリーにより駆動されるため、消費電力を抑えることが重要である。ＦＰＤパネルを常に駆動状態にしておくと、バッテリーの消費が大きいため、撮影オーダーの選択又は部位の指定等をトリガーとして、ＦＰＤパネルを駆動状態に変化させるものが提案されている（特許文献２参照）。
【先行技術文献】
【特許文献】
【０００７】
【特許文献１】特開２００２−１５９４７６号公報
【特許文献２】特開２０００−１３９８８９号公報
【発明の概要】
【発明が解決しようとする課題】
【０００８】
しかしながら、上記従来技術では、輝尽性蛍光体シートから読み取られた画像の送信先となるコントローラーを予め登録しておいたり、ＦＰＤパネルにより生成された画像の送信先となる画像表示端末を操作者が選択したりする必要があり、操作が煩雑であった。
【０００９】
また、大病院では、医師が撮影オーダーを発行し、技師がその撮影オーダーに従って撮影するため、上記従来技術のように、撮影オーダーの選択又は部位の指定でＦＰＤパネルを駆動状態にすることが可能である。これに対し、クリニック等の小規模な医療施設では、医師自らが撮影するため、撮影オーダーに詳細な部位が含まれない場合もあり、撮影オーダーの選択又は部位の指定をトリガーとしてＦＰＤパネルを駆動状態にすることは難しかった。
【００１０】
本発明は、上記の従来技術における問題に鑑みてなされたものであって、画像の送信先の指定を容易に行うとともに、放射線画像撮影装置の省電力化を図ることを課題とする。
【課題を解決するための手段】
【００１１】
上記課題を解決するために、請求項１に記載の発明は、被写体を透過した放射線に基づく医用画像を生成する放射線画像撮影装置と、当該放射線画像撮影装置により生成された医用画像を管理する医用画像管理装置と、がデータ通信可能に接続され、前記医用画像管理装置と、一又は複数のクライアント端末と、がデータ通信可能に接続された放射線画像撮影システムであって、前記一又は複数のクライアント端末は、前記放射線画像撮影装置からの医用画像の取り込みを指示するための操作手段と、前記操作手段から前記放射線画像撮影装置からの医用画像の取り込みが指示された場合に、前記放射線画像撮影装置からの医用画像の取り込みを指示する画像取り込み指示を前記医用画像管理装置に送信する第１制御手段と、を備え、前記医用画像管理装置は、前記画像取り込み指示の受信を契機として、前記放射線画像撮影装置に駆動状態への移行を指示する駆動指示を送信するとともに、前記放射線画像撮影装置により生成される医用画像の送信先として、前記画像取り込み指示を送信したクライアント端末を設定し、前記放射線画像撮影装置から送信された医用画像を受信した場合に、当該受信された医用画像を前記送信先に設定されたクライアント端末に送信する第２制御手段を備え、前記画像取り込み指示を送信したクライアント端末の第１制御手段は、前記医用画像管理装置から送信された医用画像を表示手段に表示させる。
【００１２】
請求項２に記載の発明は、請求項１に記載の放射線画像撮影システムにおいて、前記放射線画像撮影装置を複数備え、前記一又は複数のクライアント端末は、前記複数の放射線画像撮影装置の中から画像取り込み対象となる放射線画像撮影装置を選択するための選択手段を備え、前記第１制御手段は、前記選択された放射線画像撮影装置を示す情報を前記医用画像管理装置に送信し、前記第２制御手段は、前記選択された放射線画像撮影装置を示す情報に基づいて、前記複数の放射線画像撮影装置のうち前記選択された放射線画像撮影装置以外の放射線画像撮影装置に非駆動状態への移行を指示する非駆動指示を送信する。
【００１３】
請求項３に記載の発明は、請求項１又は２に記載の放射線画像撮影システムにおいて、前記第２制御手段は、前記一又は複数のクライアント端末において、前記表示手段に表示される画面が、医用画像の取り込みを指示する指示入力画面に遷移したタイミングで、画像取り込み対象となる放射線画像撮影装置に非駆動状態から駆動状態へ移行するよりも駆動状態へ移行する時間が短い駆動準備状態への移行を指示する駆動準備指示を送信する。
【００１４】
請求項４に記載の発明は、請求項１から３のいずれか一項に記載の放射線画像撮影システムにおいて、前記放射線画像撮影装置は、複数の放射線検出素子により放射線発生装置から照射される放射線の照射タイミングを検知し、当該放射線の照射に応じて医用画像を生成するものである。
【発明の効果】
【００１５】
本発明によれば、画像の送信先の指定を容易に行うとともに、放射線画像撮影装置の省電力化を図ることができる。
【図面の簡単な説明】
【００１６】
【図１】本発明に係る放射線画像撮影システムのシステム構成図である。
【図２】ＦＰＤパネルの外観を示す斜視図である。
【図３】ＦＰＤパネルの等価回路を表すブロック図である。
【図４】ＦＰＤパネルの状態及びその特徴を示す図である。
【図５】医用画像管理装置及びクライアント端末の機能的構成を示すブロック図である。
【図６】放射線画像撮影システムにおける放射線画像撮影処理を示すラダーチャートである。
【図７】放射線画像撮影システムにおける放射線画像撮影処理を示すラダーチャートである。
【図８】受付画面の例である。
【図９】画像表示画面の例である。
【発明を実施するための形態】
【００１７】
以下、本発明に係る放射線画像撮影システムの実施の形態について、図面を参照して説明する。ただし、本発明は、図示例に限定されるものではない。
【００１８】
［放射線画像撮影システムの構成］
図１に、本実施の形態に係る放射線画像撮影システム１００のシステム構成を示す。放射線画像撮影システム１００は、複数のＦＰＤパネル１、医用画像管理装置３０、複数のクライアント端末４０、放射線発生装置５０、アクセスポイント６０等を備えて構成されている。放射線画像撮影システム１００は、撮影室Ｒａ１，Ｒａ２、前室Ｒｂ１，Ｒｂ２、診察室Ｒｃ１，Ｒｃ２等を有する医療施設に設けられている。医用画像管理装置３０とクライアント端末４０とは、通信ネットワークＮを介してデータ通信可能に接続されている。また、ＦＰＤパネル１と医用画像管理装置３０とは、アクセスポイント６０及び通信ネットワークＮを介してデータ通信可能に接続されている。
【００１９】
撮影室Ｒａ１，Ｒａ２には、それぞれ、ＦＰＤパネル１、放射線発生装置５０、アクセスポイント６０が備えられている。撮影室Ｒａ１，Ｒａ２では、撮影対象患者について、放射線画像の撮影が行われる。
ＦＰＤパネル１は、平板状のカセッテ型の放射線画像撮影装置である。ＦＰＤパネル１は、放射線発生装置５０から照射され、被写体を透過した放射線に基づいて、放射線画像の画像データを生成する。ＦＰＤパネル１は、放射線発生装置５０から照射される放射線の照射タイミングを検知し、当該放射線の照射に応じて医用画像を生成するものである。
放射線発生装置５０は、照射タイミングを指示するスイッチが押下されると、設定された放射線照射条件に基づいて所定量の放射線を所定時間照射する。
アクセスポイント６０は、ＦＰＤパネル１との間で無線方式でデータ通信を行うためのアンテナを備えている。
【００２０】
診察室Ｒｃ１には、医用画像管理装置３０が備えられている。ただし、医用画像管理装置３０の設置場所は、通信ネットワークＮに接続可能であればどこでもよい。
医用画像管理装置３０は、ＦＰＤパネル１により生成された医用画像を患者情報と対応付けて管理し、外部機器からの要求に応じて医用画像及び患者情報を提供する。
【００２１】
前室Ｒｂ１，Ｒｂ２、診察室Ｒｃ１，Ｒｃ２には、それぞれ、クライアント端末４０が備えられている。
クライアント端末４０は、医用画像管理装置３０におけるＦＰＤパネル１からの医用画像の取り込み、医用画像管理装置３０で管理されている医用画像の参照等を指示するためのコンピューター装置である。前室Ｒｂ１，Ｒｂ２に設けられているクライアント端末４０は、主に、撮影時に、画像の取り込みを指示したり、画像を確認したりする際に用いられる。診察室Ｒｃ１，Ｒｃ２に設けられているクライアント端末４０は、主に、画像を参照して診断する際に用いられる。
【００２２】
また、図示を省略するが、通信ネットワークＮには、ＨＩＳ（Hospital Information System；病院情報システム）やＲＩＳ（Radiology Information System；放射線科情報システム）、あるいは他のコンピューターや、放射線画像をフィルム等の画像記録媒体に記録して出力するイメージャー等が接続されている。
【００２３】
次に、ＦＰＤパネル１の構成について説明する。
図２は、ＦＰＤパネル１の外観を示す斜視図である。図２に示すように、ＦＰＤパネル１は、放射線が照射される側の面である放射線入射面Ｒを有する筐体に、ＦＰＤパネル１の電源をオン／オフするための電源スイッチ２、バッテリー２１（図３参照）の状態やＦＰＤパネル１の動作状態等を表示するＬＥＤ（Light Emitting Diode）等で構成されたインジケーター３、バッテリー２１の充電を行うためのコネクター４が設けられて構成されている。また、図２では図示を省略するが、ＦＰＤパネル１には、アクセスポイント６０を介して医用画像管理装置３０等の外部機器との間で無線通信を行うためのアンテナ装置２３（図３参照）が設けられている。
【００２４】
図３は、ＦＰＤパネル１の等価回路を表すブロック図である。図３に示すように、ＦＰＤパネル１の検出部Ｐには、複数の走査線５と複数の信号線６とが互いに交差するように配設されている。複数の走査線５と複数の信号線６により区画された各小領域には、放射線検出素子７がそれぞれ設けられ、複数の放射線検出素子７が二次元状（マトリクス状）に配列されている。本実施の形態では、放射線検出素子７としてフォトダイオードが用いられているが、例えば、フォトトランジスター等の他の放射線検出素子を用いることも可能である。
【００２５】
各放射線検出素子７の第１電極７ａには、スイッチ手段であるＴＦＴ（Thin Film Transistor；薄膜トランジスタ）８のソース電極８ｓ（図３の「Ｓ」）が接続されている。また、ＴＦＴ８のドレイン電極８ｄ（図３の「Ｄ」）は信号線６に接続され、ＴＦＴ８のゲート電極８ｇ（図３の「Ｇ」）は走査線５に接続されている。
【００２６】
ＴＦＴ８は、走査駆動手段１２から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積するようになっている。
【００２７】
また、１列の放射線検出素子７（図３において縦方向に並ぶ放射線検出素子７）毎に１本の割合でバイアス線９が設けられ、各放射線検出素子７の第２電極７ｂがそれぞれバイアス線９に接続されている。各バイアス線９は検出部Ｐの外側の位置で結線１０に結束されている。結線１０はバイアス電源１１に接続されており、バイアス電源１１から結線１０や各バイアス線９を介して各放射線検出素子７の第２電極７ｂに逆バイアス電圧が印加されるようになっている。
【００２８】
各走査線５は、走査駆動手段１２のゲートドライバー１２ｂにそれぞれ接続されている。走査駆動手段１２では、配線１２ｃを介して電源回路１２ａからゲートドライバー１２ｂにオン電圧とオフ電圧が供給されるようになっている。そして、ゲートドライバー１２ｂで走査線５の各ラインＬ１〜Ｌｘに印加する電圧をオン電圧とオフ電圧との間で切り替えることで、各ＴＦＴ８のオン／オフ動作を制御するようになっている。
【００２９】
また、各信号線６は、読み出しＩＣ１３内に内蔵された各読み出し回路１４にそれぞれ接続されている。読み出し回路１４は、増幅回路１５、相関二重サンプリング回路（ＣＤＳ）１６等で構成されている。読み出しＩＣ１３内には、さらに、アナログマルチプレクサー１７と、Ａ／Ｄ変換器１８とが設けられている。
【００３０】
各放射線検出素子７からの画像データの読み出し処理では、走査駆動手段１２のゲートドライバー１２ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００３１】
増幅回路１５では、信号線６を介して流れ込んできた電荷の量に応じた電圧値が出力側から出力される。相関二重サンプリング回路１６は、各放射線検出素子７から電荷が流れ込む前後の増幅回路１５からの出力値の増加分をアナログ値の画像データとして下流側に出力する。
【００３２】
そして、出力された各画像データがアナログマルチプレクサー１７を介してＡ／Ｄ変換器１８に順次送信され、Ａ／Ｄ変換器１８でデジタル値の画像データに順次変換されて記憶部２０に出力されて順次保存される。
【００３３】
制御部１９は、図示しないＣＰＵ（Central Processing Unit）、ＲＯＭ（Read Only Memory）、ＲＡＭ（Random Access Memory）、入出力インターフェース等がバスに接続されたコンピューターや、ＦＰＧＡ（Field Programmable Gate Array）等により構成されている。なお、制御部１９は、専用の制御回路で構成されていてもよい。
【００３４】
制御部１９は、走査駆動手段１２や読み出し回路１４を制御して画像データの読み出し処理を行わせる等、ＦＰＤパネル１の各機能部の動作等を制御するようになっている。また、制御部１９には、ＳＲＡＭ（Static ＲＡＭ）やＳＤＲＡＭ（Synchronous ＤＲＡＭ）等で構成される記憶部２０が接続されている。
【００３５】
また、制御部１９には、走査駆動手段１２、読み出し回路１４、記憶部２０、バイアス電源１１等の各機能部に必要な電力を供給するバッテリー２１が接続されている。
【００３６】
さらに、制御部１９には、無線通信部２２が接続されており、無線通信部２２は、アンテナ装置２３を介して外部機器との間で無線通信を行うようになっている。無線通信部２２は、例えば、ＩＥＥＥ８０２．１１方式の無線ＬＡＮで外部機器と無線通信を行うように構成されている。
【００３７】
図４に、ＦＰＤパネル１の状態及びその特徴を示す。ＦＰＤパネル１は、「駆動状態」、「駆動準備状態」、「非駆動状態」の３段階の状態を取り得る。
【００３８】
駆動状態とは、いつでも撮影可能な状態である。具体的には、ゲートドライバー１２ｂにより、走査線５の各ラインＬ１〜Ｌｘにオン電圧を印加して、放射線検出素子７に蓄積された電荷の読み出しを繰り返し行うことで、常に電荷がリセットされている状態である。ゲートドライバー１２ｂにより、走査線５を介してゲート電極８ｇにオフ電圧を印加することで、いつでも電荷の蓄積を開始することができる。ＦＰＤパネル１が駆動状態である場合、３段階の状態のうち、最も消費電力が大きい。
【００３９】
駆動準備状態とは、すぐに駆動状態に遷移可能な状態であり、非駆動状態から駆動状態に移行する時間より、駆動準備状態から駆動状態に移行する時間の方が短い。具体的には、走査線５の各ラインＬ１〜Ｌｘにオン電圧／オフ電圧を印加せず、読み出しを停止している状態である。その他は全て駆動状態と同じ状態であり、電荷の読み出しのための電力の分、電力消費量が少ない状態である。すなわち、ＦＰＤパネル１が駆動準備状態である場合、駆動状態よりは消費電力が小さいが、非駆動状態よりは消費電力が大きい。非駆動状態から駆動状態へ移行するには数秒間かかるため、非駆動状態でユーザーが撮影しようとしてもすぐに撮影できないが、駆動準備状態では、放射線検出素子７に蓄積された電荷の読み出しを行い、電荷をリセットすることで、いつでも駆動状態に遷移可能である。
【００４０】
非駆動状態とは、一部ユニットに電力供給を停止した、撮影できない状態である。具体的には、外部機器からの信号を受信できるように無線通信部２２や制御部１９等の最小限起動していることが必要な機能部にのみ電力を供給し、それ以外への電力供給を停止している状態である。ＦＰＤパネル１が非駆動状態である場合、３段階の状態のうち、最も消費電力が小さい。
【００４１】
次に、図５を参照して、医用画像管理装置３０及びクライアント端末４０の機能的構成について説明する。
図５に示すように、医用画像管理装置３０は、制御部３１、操作部３２、表示部３３、通信部３４、ＲＡＭ３５、記憶部３６等を備えて構成され、各部はバス３７により接続されている。
【００４２】
制御部３１は、ＣＰＵ等により構成され、記憶部３６に記憶されているシステムプログラムや処理プログラム等の各種プログラムを読み出してＲＡＭ３５に展開し、展開されたプログラムに従って各種処理を実行する。
【００４３】
操作部３２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部３１に出力する。
【００４４】
表示部３３は、ＬＣＤ（Liquid Crystal Display）等のモニターを備えて構成されており、制御部３１から入力される表示信号の指示に従って、各種画面を表示する。
【００４５】
通信部３４は、ネットワークインターフェース等により構成され、通信ネットワークＮに接続された外部機器との間でデータの送受信を行う。
【００４６】
ＲＡＭ３５は、制御部３１により実行制御される各種処理において、記憶部３６から読み出された制御部３１で実行可能な各種プログラム、入力若しくは出力データ等を一時的に記憶するワークエリアとして機能する。
【００４７】
記憶部３６は、ＨＤＤ（Hard Disk Drive）や半導体の不揮発性メモリー等で構成されている。記憶部３６には、各種プログラムや、各種処理に必要なデータ等が記憶されている。
【００４８】
制御部３１は、クライアント端末４０から送信された画像取り込み指示の受信を契機として、ＦＰＤパネル１に駆動状態への移行を指示する駆動指示を送信するとともに、ＦＰＤパネル１により生成される医用画像の送信先として、画像取り込み指示を送信したクライアント端末４０を設定する。制御部３１は、ＦＰＤパネル１から送信された医用画像を受信した場合に、受信された医用画像を送信先に設定されたクライアント端末４０に送信する。すなわち、制御部３１は、第２制御手段として機能する。
【００４９】
制御部３１は、クライアント端末４０から送信された、選択されたＦＰＤパネル１を示す情報に基づいて、複数のＦＰＤパネル１のうち選択されたＦＰＤパネル１以外のＦＰＤパネル１に非駆動状態への移行を指示する非駆動指示を送信する。
【００５０】
制御部３１は、クライアント端末４０において、表示部４３に表示される画面が、医用画像の取り込みを指示する指示入力画面（図９の画像表示画面４３２参照）に遷移したタイミングで、画像取り込み対象となるＦＰＤパネル１に駆動準備状態への移行を指示する駆動準備指示を送信する。指示入力画面とは、医用画像の取り込みを指示することが可能な画面をいう。指示入力画面に遷移したタイミングとは、例えば、画像取り込み対象となるＦＰＤパネル１が既に選択されている場合には、図９に示す画像表示画面４３２に遷移したタイミングであり、画像取り込み対象となるＦＰＤパネル１が選択されていない場合には、図９に示す画像表示画面４３２において、画像取り込み対象となるＦＰＤパネル１が選択されたタイミングである。
【００５１】
図５に示すように、クライアント端末４０は、制御部４１、操作部４２、表示部４３、通信部４４、ＲＡＭ４５、記憶部４６等を備えて構成され、各部はバス４７により接続されている。
【００５２】
制御部４１は、ＣＰＵ等により構成され、記憶部４６に記憶されているシステムプログラムや処理プログラム等の各種プログラムを読み出してＲＡＭ４５に展開し、展開されたプログラムに従って各種処理を実行する。
【００５３】
操作部４２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部４１に出力する。
クライアント端末４０がタブレット型端末である場合には、操作部４２は、電源をオン／オフさせる電源キー等の操作キー、表示部４３に積層されたタッチパネルにより構成され、各操作キーに対応する操作信号、ユーザーの指等によるタッチ操作の位置に応じた操作信号を制御部４１に出力する。
操作部４２は、複数のＦＰＤパネル１の中から画像取り込み対象となるＦＰＤパネル１を選択する際や、ＦＰＤパネル１からの医用画像の取り込みを指示する際に用いられる。すなわち、操作部４２は、選択手段、操作手段として機能する。
【００５４】
表示部４３は、ＬＣＤで構成されており、制御部４１から入力される表示信号の指示に従って、各種画面を表示する。例えば、表示部４３には、医用画像管理装置３０から送信された医用画像が表示される。
【００５５】
通信部４４は、ネットワークインターフェース等により構成され、通信ネットワークＮに接続された外部機器との間でデータの送受信を行う。
通信部４４は、通信ネットワークＮに接続された外部機器との間でＷｉ−Ｆｉ（Wireless Fidelity）通信等の無線通信によりデータの送受信を行うものであってもよく、例えば、通信サービス事業者が設置した無線基地局を介して無線信号の送受信を行うアンテナやＲＦ変換器等によって実現される。また、通信部４４は、赤外線通信（ＩｒＤＡ／ＩｒＭＣ）、Bluetooth（登録商標）等を用いて、医用画像管理装置３０との間で無線通信を行うものであってもよい。
【００５６】
ＲＡＭ４５は、制御部４１により実行制御される各種処理において、記憶部４６から読み出された制御部４１で実行可能な各種プログラム、入力若しくは出力データ等を一時的に記憶するワークエリアとして機能する。
【００５７】
記憶部４６は、ＨＤＤや半導体の不揮発性メモリー等で構成されている。記憶部４６には、各種プログラムや、各種処理に必要なデータ等が記憶されている。
【００５８】
制御部４１は、操作部４２から画像取り込み対象となるＦＰＤパネル１が選択された場合に、選択されたＦＰＤパネル１を示す情報を医用画像管理装置３０に送信する。
制御部４１は、操作部４２からＦＰＤパネル１からの医用画像の取り込みが指示された場合に、ＦＰＤパネル１からの医用画像の取り込みを指示する画像取り込み指示を医用画像管理装置３０に送信する。すなわち、制御部４１は、第１制御手段として機能する。
【００５９】
制御部４１は、クライアント端末４０が画像取り込み指示を送信した結果、医用画像管理装置３０から送信された医用画像を表示部４３に表示させる。
【００６０】
［放射線画像撮影システムの動作］
次に、放射線画像撮影システム１００における動作について説明する。
図６及び図７は、放射線画像撮影システム１００における放射線画像撮影処理を示すラダーチャートである。ここでは、撮影室Ｒａ１内のＦＰＤパネル１における撮影について、前室Ｒｂ１に設置されているクライアント端末４０から操作を行う場合を例にして説明する。
【００６１】
まず、前室Ｒｂ１に設置されているクライアント端末４０では、制御部４１により、通信ネットワークＮを介して接続された受付装置から、その日に受付処理を行った患者の患者情報が取得され、取得された患者情報に基づいて、受付画面（患者リスト画面）が表示部４３に表示される（ステップＳ１）。
【００６２】
図８に、受付画面４３１の例を示す。受付画面４３１には、患者リスト表示領域Ａ１、パネル選択領域Ａ２、開始ボタンＢ１が含まれる。
患者リスト表示領域Ａ１には、その日に受付処理を行った患者の患者情報が表示される。
パネル選択領域Ａ２には、パネル選択ボタンＢ２，Ｂ３が含まれる。パネル選択ボタンＢ２は、撮影室Ｒａ１内のＦＰＤパネル１に対応し、パネル選択ボタンＢ３は、撮影室Ｒａ２内のＦＰＤパネル１に対応している。
開始ボタンＢ１は、患者リスト表示領域Ａ１において選択された患者に対する撮影の開始を指示するためのボタンである。
【００６３】
受付画面４３１において、操作部４２からの操作により、受付画面４３１のパネル選択領域Ａ２のいずれかのパネル選択ボタンＢ２，Ｂ３が押下され、画像取り込み対象となるＦＰＤパネル１が選択されると（ステップＳ２）、制御部４１により、選択されたＦＰＤパネル１を示す情報が通信部４４を介して医用画像管理装置３０に送信される。具体的には、撮影室Ｒａ１内のＦＰＤパネル１に対応するパネル選択ボタンＢ２が押下され、制御部４１により、撮影室Ｒａ１内のＦＰＤパネル１を示す情報が通信部４４を介して医用画像管理装置３０に送信される。
医用画像管理装置３０では、通信部３４により、選択されたＦＰＤパネル１を示す情報が受信され、制御部３１により、選択されたＦＰＤパネル１が画像取り込み対象のＦＰＤパネル１として設定される（ステップＳ３）。
【００６４】
次に、前室Ｒｂ１に設置されているクライアント端末４０において、操作部４２からの操作により、受付画面４３１の患者リスト表示領域Ａ１に表示されている患者の中から撮影対象患者が選択されると（ステップＳ４）、制御部４１により、選択された撮影対象患者を示す情報が通信部４４を介して医用画像管理装置３０に送信され、撮影対象患者の画像を表示するための画像表示画面が表示部４３に表示される（ステップＳ５）。
【００６５】
例えば、図８に示す受付画面４３１の患者リスト表示領域Ａ１において、操作部４２からの操作により、撮影対象患者Ｃ１が選択され、開始ボタンＢ１が押下されると、制御部４１により、通信部４４を介して撮影対象患者Ｃ１の患者ＩＤ等が医用画像管理装置３０に送信される。そして、制御部４１により、選択された撮影対象患者Ｃ１に関する情報が医用画像管理装置３０から取得され、図９に示すように、撮影対象患者Ｃ１についての画像表示画面４３２が表示される。
【００６６】
画像表示画面４３２には、パネル選択領域Ａ２、画像表示領域Ａ３、画像取り込み指示領域Ａ４、画像編集領域Ａ５、パネル状態表示領域Ａ６、終了ボタンＢ４が含まれる。
パネル選択領域Ａ２は、受付画面４３１に含まれるものと同様であるため、説明を省略する。
画像表示領域Ａ３は、ＦＰＤパネル１等の放射線画像撮影装置により生成され、医用画像管理装置３０に取り込まれた医用画像が表示される領域である。なお、画像を取り込む前は、画像表示領域Ａ３には、画像は表示されていない。
画像取り込み指示領域Ａ４には、画像取り込みボタンＢ５，Ｂ６が含まれる。画像取り込みボタンＢ５，Ｂ６は、対応する放射線画像撮影装置から送信される医用画像を、現在診断対象となっている患者の画像として取り込むことを指示するためのボタンである。画像取り込みボタンＢ５は、撮影室Ｒａ１，Ｒａ２内のＦＰＤパネル１に対応し、画像取り込みボタンＢ６は、図示しないＣＲ（Computed Radiography）装置に対応している。画像取り込みボタンＢ５，Ｂ６は、押下された状態では、医用画像管理装置３０における画像取り込み待機状態の解除を指示するための画像取り込み解除ボタンとなる。
画像編集領域Ａ５は、画像表示領域Ａ３に表示される医用画像に対して、濃度／コントラスト調整、拡大／縮小処理、回転／反転処理、アノテーションの付加等を行う際に用いられる。
パネル状態表示領域Ａ６は、選択されたＦＰＤパネル１のパネル状態が表示される領域である。
終了ボタンＢ４は、撮影の終了を指示するためのボタンである。
【００６７】
医用画像管理装置３０では、通信部３４により、選択された撮影対象患者を示す情報が受信された場合に、すなわち、クライアント端末４０の表示部４３に表示される画面が、撮影対象患者の画像表示画面（指示入力画面）に遷移したタイミングで、制御部３１により、複数存在するＦＰＤパネル１のうち選択されていないＦＰＤパネル１（撮影室Ｒａ２内のＦＰＤパネル１）に非駆動状態への移行を指示する非駆動指示が通信部３４を介して送信され（ステップＳ６）、選択されているＦＰＤパネル１（撮影室Ｒａ１内のＦＰＤパネル１）に駆動準備状態への移行を指示する駆動準備指示が通信部３４を介して送信される（ステップＳ７）。
【００６８】
選択されていないＦＰＤパネル１（撮影室Ｒａ２内のＦＰＤパネル１）では、無線通信部２２により、非駆動指示が受信されると、制御部１９により、非駆動状態に変更される（ステップＳ８）。具体的には、撮影室Ｒａ２内のＦＰＤパネル１の制御部１９により、無線通信部２２や制御部１９以外への電力供給が停止される。
【００６９】
選択されているＦＰＤパネル１（撮影室Ｒａ１内のＦＰＤパネル１）では、無線通信部２２により、駆動準備指示が受信されると、制御部１９により、駆動準備状態に変更される（ステップＳ９）。
【００７０】
なお、画像表示画面４３２のパネル選択領域Ａ２において、撮影に用いるＦＰＤパネル１が選択し直された場合には、制御部４１により、新たに選択されたＦＰＤパネル１を示す情報が通信部４４を介して医用画像管理装置３０に送信される。
医用画像管理装置３０では、通信部３４により、選択されたＦＰＤパネル１を示す情報が受信された場合に、すなわち、画像表示画面４３２のパネル選択領域Ａ２において、撮影に用いるＦＰＤパネル１が選択し直されたタイミングで、制御部３１により、選択されていないＦＰＤパネル１に非駆動状態への移行を指示する非駆動指示が通信部３４を介して送信され、選択されているＦＰＤパネル１に駆動準備状態への移行を指示する駆動準備指示が通信部３４を介して送信される。
【００７１】
次に、前室Ｒｂ１に設置されているクライアント端末４０では、画像表示画面４３２において、操作部４２からの操作により、画像取り込みボタンＢ５が押下されると（ステップＳ１０）、制御部４１により、医用画像管理装置３０に対して、押下された画像取り込みボタンＢ５に対応する放射線画像撮影装置（パネル選択領域Ａ２において選択されているＦＰＤパネル１）から送信される医用画像を、対象患者の画像として取り込む旨の指示（画像取り込み指示）が通信部４４を介して送信される。
【００７２】
医用画像管理装置３０では、通信部３４により、画像取り込み指示が受信されると、制御部３１により、装置状態がオフラインからオンラインへと変更される（ステップＳ１１）。具体的には、制御部３１により、画像取り込み指示を送信したクライアント端末４０を特定するための情報が保持され、選択されたＦＰＤパネル１において生成される医用画像の取り込み待機状態となる。なお、医用画像管理装置３０では、画像取り込み指示を送信したクライアント端末４０から画像取り込み待機状態を解除する旨の指示があるまでは、他のクライアント端末４０から送信される画像取り込み指示を受け付けないようにする。
【００７３】
また、医用画像管理装置３０では、通信部３４により、画像取り込み指示が受信されたことを契機として、制御部３１により、選択されているＦＰＤパネル１（撮影室Ｒａ１内のＦＰＤパネル１）に駆動状態への移行を指示する駆動指示が通信部３４を介して送信されるとともに（ステップＳ１２）、制御部３１により、ＦＰＤパネル１により生成される医用画像の送信先として、画像取り込み指示を送信したクライアント端末４０（前室Ｒｂ１内のクライアント端末４０）が設定される（ステップＳ１３）。
【００７４】
選択されているＦＰＤパネル１（撮影室Ｒａ１内のＦＰＤパネル１）では、無線通信部２２により、駆動指示が受信されると、制御部１９により、駆動状態に変更され（ステップＳ１４）、放射線発生装置５０からの放射線照射の待機状態となる（ステップＳ１５）。
【００７５】
放射線発生装置５０において、放射線が照射されると（ステップＳ１６）、選択されたＦＰＤパネル１では、制御部１９により、放射線発生装置５０による放射線の照射が検知され、画像が読み取られる（ステップＳ１７）。具体的には、制御部１９により、放射線の照射に応じて、各放射線検出素子７における画像生成用の電荷の蓄積が開始され、所定時間経過後に各放射線検出素子７に蓄積された電荷が読み出され、被写体を透過した放射線量に基づく画像信号が取得され、画像データが生成される。
【００７６】
次に、選択されたＦＰＤパネル１では、制御部１９により、読み取られた医用画像が無線通信部２２を介して医用画像管理装置３０に送信される（ステップＳ１８）。
【００７７】
医用画像管理装置３０では、通信部３４により、選択されたＦＰＤパネル１から送信された医用画像が受信され（ステップＳ１９）、制御部３１により、受信された医用画像が保存される（ステップＳ２０）。具体的には、制御部３１により、ＦＰＤパネル１から取り込まれた医用画像と撮影対象患者とが対応付けられて記憶部３６に記憶される。
【００７８】
次に、医用画像管理装置３０では、制御部３１により、ＦＰＤパネル１から受信された医用画像が、ステップＳ１３において送信先に設定されたクライアント端末４０に通信部３４を介して送信される。
画像取り込み指示を送信したクライアント端末４０では、通信部４４により、医用画像管理装置３０から送信された医用画像が受信され、制御部４１により、受信された医用画像が表示部４３に表示される（ステップＳ２１）。具体的には、制御部４１により、受信された医用画像が画像表示画面４３２の画像表示領域Ａ３に表示される。
【００７９】
ここで、終了していない撮影がある場合には（ステップＳ２２；ＮＯ）、ステップＳ１５に戻り、処理が繰り返される。
【００８０】
一方、全ての撮影が終了した場合には（ステップＳ２２；ＹＥＳ）、前室Ｒｂ１に設置されているクライアント端末４０では、画像表示画面４３２において、操作部４２からの操作により、画像取り込み解除ボタン（画像取り込みボタンＢ５が押下された状態のボタン）が押下される（ステップＳ２３）。そして、制御部４１により、医用画像管理装置３０に対して、画像取り込み待機状態の解除指示が通信部４４を介して送信される。
【００８１】
医用画像管理装置３０では、通信部３４により、画像取り込み待機状態の解除指示が受信されると、制御部３１により、装置状態がオンラインからオフラインへと変更される（ステップＳ２４）。具体的には、制御部３１により、選択されたＦＰＤパネル１において生成される医用画像の取り込み待機状態が解除される。
【００８２】
また、医用画像管理装置３０では、通信部３４により、画像取り込み待機状態の解除指示が受信されたことを契機として、制御部３１により、選択されているＦＰＤパネル１（撮影室Ｒａ１内のＦＰＤパネル１）に駆動準備状態への移行を指示する駆動準備指示が通信部３４を介して送信される（ステップＳ２５）。
【００８３】
選択されているＦＰＤパネル１（撮影室Ｒａ１内のＦＰＤパネル１）では、無線通信部２２により、駆動準備指示が受信されると、制御部１９により、駆動準備状態に変更される（ステップＳ２６）。
【００８４】
次に、前室Ｒｂ１に設置されているクライアント端末４０では、操作部４２からの操作により、画像表示画面４３２の終了ボタンＢ４が押下されると、制御部４１により、医用画像管理装置３０に対して、撮影終了指示が通信部４４を介して送信される（ステップＳ２７）。
【００８５】
医用画像管理装置３０では、通信部３４により、撮影終了指示が受信されると、制御部３１により、選択されているＦＰＤパネル１に非駆動状態への移行を指示する非駆動指示が通信部３４を介して送信される（ステップＳ２８）。
【００８６】
選択されているＦＰＤパネル１では、無線通信部２２により、非駆動指示が受信されると、制御部１９により、非駆動状態に変更される（ステップＳ２９）。
以上で、放射線画像撮影処理が終了する。
【００８７】
以上説明したように、本実施の形態によれば、医用画像管理装置３０において、クライアント端末４０から送信された画像取り込み指示の受信を契機として、選択されたＦＰＤパネル１に駆動指示を送信するとともに、選択されたＦＰＤパネル１により生成される医用画像の送信先として、画像取り込み指示を送信したクライアント端末４０を設定するので、画像の送信先の指定を容易に行うとともに、ＦＰＤパネル１の省電力化を図ることができる。
【００８８】
また、医用画像管理装置３０は、クライアント端末４０から送信された、選択されたＦＰＤパネル１を示す情報に基づいて、複数のＦＰＤパネル１のうち選択されたＦＰＤパネル１以外のＦＰＤパネル１に非駆動指示を送信するので、選択されていないＦＰＤパネル１の消費電力を抑えることができる。
【００８９】
また、医用画像管理装置３０は、クライアント端末４０の表示部４３に表示される画面が、医用画像の取り込みを指示する指示入力画面（画像取り込みボタンＢ５を押下可能な画面）に遷移したタイミングで、画像取り込み対象となるＦＰＤパネル１に駆動準備指示を送信するので、医用画像の取り込みが指示された場合に、より短時間で選択されたＦＰＤパネル１を駆動状態に移行させることができる。
【００９０】
また、ＦＰＤパネル１自体で放射線の照射タイミングを検知し、当該放射線の照射に応じて医用画像を生成する放射線画像撮影システム１００において、撮影を行う直前にＦＰＤパネル１を駆動状態にするので、ＦＰＤパネル１のバッテリー２１の消費を抑えることができる。
【００９１】
なお、上記実施の形態における記述は、本発明に係る放射線画像撮影システムの例であり、これに限定されるものではない。システムを構成する各装置の細部構成及び細部動作に関しても本発明の趣旨を逸脱することのない範囲で適宜変更可能である。
【００９２】
例えば、上記実施の形態では、ＦＰＤパネル１を選択した後に撮影対象患者を選択することとしたが、撮影対象患者を選択し、その患者の画像表示画面が表示されている状態でＦＰＤパネル１を選択することとしてもよい。この場合、ＦＰＤパネル１が選択されたタイミングで、医用画像管理装置３０から選択されていないＦＰＤパネル１に非駆動指示が送信され、選択されているＦＰＤパネル１に駆動準備指示が送信される。
【００９３】
また、近年、クライアント端末４０として、無線通信を行うタブレット型端末等のモバイル端末が普及してきている。クライアント端末４０としてモバイル端末を用いる場合、持ち運びが容易であるため、撮影室内／外の任意の場所で画像を即時確認することができ、利便性が高い。
しかし、クライアント端末４０が撮影室に固定されたものでなく、ユーザーが持ち出すことが可能となったため、例えば、ユーザーがクライアント端末４０をポケット等に入れたままいなくなってしまい、別の人が撮影業務を行おうとするときに撮影室に備え付けられたクライアント端末４０が存在しないといった状況が発生するおそれがある。
また、モバイル端末では、アプリケーションを終了させずに、スリープ状態のまま画面を閉じることが可能である。この場合、通信上は接続したままであるため、排他制御により、他のクライアント端末４０からＦＰＤパネル１を選択することができなくなってしまう。
【００９４】
このような場合に、別のクライアント端末４０からの操作により撮影が可能なように、画像の取り込みが指示されてから一定時間が経過した場合に、ＦＰＤパネル１の選択が解除され、別のクライアント端末４０からＦＰＤパネル１を選択できるようにしてもよい。
あるいは、他のクライアント端末４０でＦＰＤパネル１が選択されている状態であっても、強制的にＦＰＤパネル１の選択を解除し、自らのクライアント端末４０で選択し直せるようにしてもよい。
【符号の説明】
【００９５】
１  ＦＰＤパネル
７  放射線検出素子
１９  制御部
２０  記憶部
２１  バッテリー
２２  無線通信部
２３  アンテナ装置
３０  医用画像管理装置
３１  制御部
３４  通信部
３６  記憶部
４０  クライアント端末
４１  制御部
４２  操作部
４３  表示部
４４  通信部
４６  記憶部
５０  放射線発生装置
６０  アクセスポイント
１００  放射線画像撮影システム
４３１  受付画面
４３２  画像表示画面
Ａ１  患者リスト表示領域
Ａ２  パネル選択領域
Ａ３  画像表示領域
Ａ４  画像取り込み指示領域
Ｂ１  開始ボタン
Ｂ２，Ｂ３  パネル選択ボタン
Ｂ４  終了ボタン
Ｃ１  撮影対象患者
Ｎ  通信ネットワーク
【図１】
2014117398.tif 000003
【図２】
2014117398.tif 000004
【図３】
2014117398.tif 000005
【図４】
2014117398.tif 000006
【図５】
2014117398.tif 000007
【図６】
2014117398.tif 000008
【図７】
2014117398.tif 000009
【図８】
2014117398.tif 000010
【図９】
2014117398.tif 000011